(57)【要約】【課題】就寝者の睡眠を妨げることなく、頭部周囲の浮遊塵埃及び半浮遊塵埃を除去し清浄化する空気清浄機を提供すること。【解決手段】就寝者１１の頭部後方に配置される本体部１０と、本体部１０に内蔵される送風手段１２と、本体部１０に内蔵される気流清浄化手段１３と、本体部１０に構成され清浄化気流１６を吹き出す吹き出し口１４と、本体部１０に構成される吹き出し口１４と、就寝者１１の頭部上方を覆うように本体部１０に取り付けられるカバー部１７とを備え、清浄化気流１６はカバー部１７の内面に衝突するよう吹き出される構成とする。これより、カバー部１７によって落下しやすい半浮遊塵埃２３が就寝者１１の頭部周囲に落下することを防ぐことができる一方、浮遊塵埃２２は清浄化気流１６によって頭部周囲への侵入を防ぐことができる。【選択図】図１
2012002369.tif 000002
【特許請求の範囲】
【請求項１】
就寝者の頭部後方に配置される本体部と、前記本体部に内蔵される送風手段と、前記本体部に内蔵される気流清浄化手段と、前記本体部に構成され清浄化気流を吹き出す吹き出し口と、前記本体部に構成される吸い込み口と、前記就寝者の頭部上方を覆うように前記本体部に取り付けられるカバー部とを備え、前記清浄化気流は前記カバー部の内面に衝突するよう吹き出される構成とした空気清浄機。
【請求項２】
吹き出し口は、カバー部の内面に対向するように構成された請求項１に記載の空気清浄機。
【請求項３】
カバー部は、複数の面から構成され内面に角部を有する構成とした請求項１に記載の空気清浄機。
【請求項４】
カバー部は、下端部の内側に水平方向のリブ構造を有する構成とした請求項１に記載の空気清浄機。
【請求項５】
吹き出し口は、カバー部内面の最も上方に位置するカバー部天頂部に清浄化気流が衝突するよう吹き出す構成とした請求項１に記載の空気清浄機。
【請求項６】
吹き出し口は、清浄化気流を複数の方向に吹き出しカバー部の内側で互いに衝突する構成とした請求項１に記載の空気清浄機。
【発明の詳細な説明】
【技術分野】
【０００１】
本発明は、気流を発生させ室内の局所的な空間を清浄化する空気清浄機に関するものである。
【背景技術】
【０００２】
従来、この種の空気清浄機としては、ベッドの頭側に設けられた吹き出し部からベッド上に清浄化気流を発生させ、就寝者の頭部周囲を清浄化しているものがあった。（例えば、特許文献１参照）。
【０００３】
図５において、空気清浄機はベッド部１の頭側からベッド部１の下方にわたって本体部２が構成されており、本体部２の内部には送風手段（図示せず）と気流清浄化手段（図示せず）が配置されている。本体部２には吸い込み部５が設けられており、本体部２のベッド部１の頭側には吹き出し口６が設けられている。気流清浄化手段によって塵埃を除去された空気は清浄化気流７として吹き出し口６から吹き出される。清浄化気流７はベッド部１上の就寝者８の頭部に向けて流される。就寝者８の頭部周囲の浮遊塵埃は清浄化気流７によって足側へと運ばれ就寝者８の頭部周囲は清浄化される。
【０００４】
また、気流清浄化手段では塵埃を除去すると同時に、温湿度の調整やマイナスイオンの付加や芳香の付加といった空質の調整が行われる。空質が調整された清浄化気流７が就寝者８の頭部に当たり、同時に呼吸によって就寝者８に吸引されるため、就寝者８の快適性が高められる。
【先行技術文献】
【特許文献】
【０００５】
【特許文献１】特開２０００−１８１０６７号公報
【発明の概要】
【発明が解決しようとする課題】
【０００６】
しかしながら、従来の空気清浄機では、長時間浮遊し気流に乗りやすい浮遊塵埃を就寝者の頭部周囲から取り除くことはできるが、例えば花粉のように粒子が大きく気流に乗りにくいため落下しやすい半浮遊塵埃を取り除くには清浄化気流を強めなければならないという課題を有していた。
【０００７】
例えば、睡眠中の就寝者が花粉などの塵埃を吸引しアレルギー反応によって目が覚めてしまうことを防いだり、また例えば副交感神経が優位であるためアレルギー反応が過剰になる目覚めの瞬間に花粉などの塵埃の吸引を防いだりするためには、浮遊塵埃だけでなく半浮遊塵埃まで就寝者の頭部周囲から取り除く必要があるが、強められた清浄化気流が睡眠中の就寝者にあたることで就寝者は不快に感じ睡眠が妨げられるという課題を有していた。またマスクなどを身につけることで就寝者が浮遊塵埃と半浮遊塵埃の吸引を防ぐこともできるが、マスクを身につけること自体が不快で睡眠が妨げられるという課題を有していた。
【０００８】
また空質を調整された清浄化気流は就寝者の頭部周囲から足側へとすぐに流れてしまい、同時に清浄化気流は周囲の空気と交じり合うことで空質が元の状態へと戻っていくため、気流清浄化手段で空質の調整を行っても就寝者の頭部周囲の空質は大きく変化せず快適性を高めにくいという課題を有していた。
【０００９】
本発明は、上記従来の課題を解決するもので、就寝者の睡眠を妨げることなく頭部周囲の浮遊塵埃及び半浮遊塵埃を除去し清浄化すると同時に就寝者の頭部周囲の空質を調整し快適性を高めることができる空気清浄機を提供することを目的とする。
【課題を解決するための手段】
【００１０】
前記従来の課題を解決するために、本発明の空気清浄機では就寝者頭部の上方にカバー部を設けそのカバー部内面に清浄化気流を衝突させるように構成したものである。
【００１１】
就寝者の頭部の上方にカバー部を設けることで、半浮遊塵埃が就寝者の頭部周囲に落下することを防ぐことができる。また清浄化気流をカバー部内面に衝突させることでカバー部の内側では乱流が発生する。乱流の発生によって清浄化気流はカバー部の底面側で就寝者の頭部へ向けて開口した開口面から流れ出る時点において開口面全体からほぼ均一に流れる緩やかな均一気流となる。開口面全体から流れる均一気流であるため頭部周囲に近づく浮遊塵埃は全て清浄化気流にあたり、浮遊塵埃は気流に乗りやすいためこの清浄化気流に乗って就寝者の頭部周囲から離れる。このため強い清浄化気流が当たって就寝者の睡眠が妨げられることなく就寝者の頭部周囲を清浄化できる。
【００１２】
また清浄化気流は均一気流となることで速度を落としているため就寝者の頭部周囲に長時間留まり、一方で清浄化気流はカバー部によって周囲の空気と混じることも防がれている。そのため気流清浄化手段によって調整された空質の状態を維持しつつ就寝者の頭部周囲へと到達するため頭部周囲の空質も調整することができる。
【発明の効果】
【００１３】
本発明の空気清浄機は、強い清浄化気流を発生させる必要が無いため、就寝者の睡眠を妨げることがなく、同時に就寝者の頭部周囲の空質を調整できるため就寝者の快適性を高めることができる。
【図面の簡単な説明】
【００１４】
【図１】本発明の実施の形態１における空気清浄機の斜視図
【図２】同空気清浄機の側面図
【図３】同空気清浄機のその他の構成図
【図４】同空気清浄機のその他の構成図
【図５】従来の空気清浄機の側断面図
【発明を実施するための形態】
【００１５】
第１の発明は、就寝者の頭部後方に配置される本体部と、前記本体部に内蔵される送風手段と、前記本体部に内蔵される気流清浄化手段と、前記本体部に構成され清浄化気流を吹き出す吹き出し口と、前記本体部に構成される吸い込み口と、前記就寝者の頭部上方を覆うように前記本体部に取り付けられるカバー部とを備え、前記清浄化気流は前記カバー部の内面に衝突するよう吹き出される構成とすることにより、カバー部によって粒子が大きく落下しやすい半浮遊塵埃が就寝者の頭部周囲に落下することを防ぐことができる。また、長時間浮遊する浮遊塵埃は、均一化された低速の清浄化気流に乗って遠方へ運び去られるから、頭部周囲へ侵入することが防がれる。そのため強い清浄化気流が当たって就寝者の睡眠が妨げられること無く、就寝者の頭部周囲を清浄化できる。また清浄化気流は頭部周囲に長時間留まり周囲の空気と混じり合うことも無いため、頭部周囲の空質を調整でき快適性を高めることができる。
【００１６】
第２の発明は、特に第１の発明の吹き出し口を、カバー部の内面に対向するように構成することにより、清浄化気流はより確実にカバー部の内面に衝突するため乱流が発生し均一化される。また吹き出し口がカバー部の内面に対向しないように設けられ清浄化気流が
カバー部の外側から吹き込まれる場合に起こりうる、清浄化気流がカバー部の周囲の空気を巻き込んだ後に就寝者の頭部周囲へと吹き付けられることでカバー部の周囲の浮遊塵埃も就寝者の頭部周囲へと吹き付けられることが無い。そのため確実に就寝者の頭部周囲を清浄化することができる。また清浄化気流は頭部周囲に長時間留まるため、頭部周囲の空質を調整でき快適性を高めることができる。
【００１７】
第３の発明は、特に第１の発明のカバー部を、複数の面から構成され内面に角部を有する構成とすることにより、角部によって乱流が発生しやすくなるため清浄化気流はより均一化される。清浄化気流はカバー部の開口面全体から流れる緩やかな均一気流となることで、強い清浄化気流が当たって就寝者の睡眠が妨げられること無く就寝者の頭部周囲を清浄化できる。また清浄化気流は頭部周囲に長時間留まるため、頭部周囲の空質を調整でき快適性を高めることができる。
【００１８】
第４の発明は、特に第１の発明のカバー部を、下端部の内側に水平方向のリブ構造を有する構成とすることにより、カバー部の内面に衝突した後にカバー部の内面に沿って流れカバー部の開口面へと向かう一部の清浄化気流はカバー部の端部でリブ構造に衝突し向きを変えるため、均一化されていない清浄化気流がカバー部の開口面から流れ出ることを防ぐことができ、強い清浄化気流が当たって就寝者の睡眠が妨げられることが無い。
【００１９】
第５の発明は、特に第１の発明の吹き出し口を、カバー部内面の最も上方に位置するカバー部天頂部に清浄化気流が衝突するよう吹き出す構成とすることにより、カバー部天頂部は開口面から最も離れているため、清浄化気流は例えばカバー部の側面といったカバー部天頂部以外の箇所に最初に衝突した場合に比べてより多くの回数カバー部の内面に衝突してから開口面より流れ出るようになる。清浄化気流がカバー部の内面に衝突する度に乱流が発生し清浄化気流はより均一化される。カバー部の開口面より均一化された清浄化気流が吹き出されるため、強い清浄化気流が当たって就寝者の睡眠が妨げられること無く就寝者の頭部周囲を清浄化できる。また清浄化気流は頭部周囲に長時間留まるため、頭部周囲の空質を調整でき快適性を高めることができる。
【００２０】
第６の発明は、特に第１の発明の吹き出し口を、清浄化気流を複数の方向に吹き出しカバー部の内側で互いに衝突する構成とすることにより、清浄化気流のカバー部内面への衝突に加え清浄化気流同士の衝突によって乱流が発生するため清浄化気流はさらに均一化される。カバー部の開口面より均一化された清浄化気流が吹き出されるため、強い清浄化気流が当たって就寝者の睡眠が妨げられること無く就寝者の頭部周囲を清浄化できる。また清浄化気流は頭部周囲に長時間留まるため、頭部周囲の空質を調整でき快適性を高めることができる。
【００２１】
以下、本発明の実施の形態について、図面を参照しながら説明する。なお、本実施の形態によって本発明が限定されるものではない。
【００２２】
（実施の形態１）
図１は、本発明の実施の形態１における空気清浄機の斜視図を示すものである。
【００２３】
図１において、空気清浄機は本体部１０を有しており、本体部１０は就寝者１１の頭側後方に配置されている。本体部１０には送風手段１２（図示せず）と気流清浄化手段１３（図示せず）が配置されている。本体部１０の正面に吹き出し口１４が設けられており、本体部１０の背面には吸い込み口１５（図示せず）が設けられている。吹き出し口１４からは清浄化気流１６が就寝者１１の頭部周囲に向けて吹き出されている。
【００２４】
本体部１０の正面側にはカバー部１７が設けられている。吹き出し口１４はカバー部１
７の内面に対向するように設けられており、清浄化気流１６はカバー部１７の内面に衝突している。カバー部１７は底面側で就寝者１１の頭部へ向けて開口しており開口面全体から均一化された清浄化気流１６が均一気流１８として流れ出ている。
【００２５】
図２は、本発明の実施の形態１における空気清浄機の側面図を示すものである。図２において、カバー部１７は横たわった就寝者１１の頭部上方を覆うように配置されており、花粉などのアレルゲンと接触することでアレルギー反応を起こす就寝者１１の目、鼻、口を含めた頭部全体は、上方から見るとカバー部１７の陰に隠れた状態になっている。
【００２６】
本体部１０には送風手段１２と気流清浄化手段１３が配置されている。本体部１０の正面に吹き出し口１４が設けられており、本体部１０の背面には吸い込み部１５が設けられている。吹き出し口１４からは清浄化気流１６が吹き出されている。
【００２７】
カバー部１７は、複数の面から構成されておりカバー部１７の内面には角部１９が形成されている。またカバー部１７の下端の内面には、略水平方向のリブ構造２０が設けられている。角部１９とリブ構造２０では乱流２１が発生している。
【００２８】
清浄化気流１６は、カバー部１７の内面に衝突して向きを変えている。また衝突に伴って乱流２１が発生している。
【００２９】
またカバー部１７の周囲には浮遊塵埃２２（図示せず）が浮遊している。同時にカバー部１７の上方からは半浮遊塵埃２３が落下しつつある。
【００３０】
以上のように構成された空気清浄機について、以下その動作、作用を説明する。先ず、就寝者１１は横たわった状態で空気清浄機を起動させ、送風手段１２を動作させる。
【００３１】
カバー部１７は、就寝者１１の頭部上方を覆っているため、就寝者１１の頭部周囲に落下しようとする半浮遊塵埃２３はカバー部１７の外面に当たるため、半浮遊塵埃２３が就寝者１１の頭部周囲に落下することはなくなる。
【００３２】
一方、送風手段１２によって吹き出し口１４から空気が吸引され、その空気は気流清浄化手段１３で清浄化された後に吹き出し口１４から清浄化気流１６としてカバー部１７の内面に衝突するよう吹き出される。
【００３３】
清浄化気流１６は吹き出し口１４に対向したカバー部１７の内面に衝突すると四方に広がるように流れ、同時に乱流２１が発生する。この衝突によって清浄化気流１６は均一化される。また四方に広がった清浄化気流１６は再びカバー部１７の内面に衝突することでさらに均一化される。
【００３４】
一方で衝突した清浄化気流１６の一部はカバー部１７の内面に沿って流れる。しかしこの清浄化気流１６は角部１９やリブ構造２０に当たることで特に乱流２１が発生しやすく均一化が進む。同時にリブ構造２０はカバー部１７の内面に沿って流れる清浄化気流１６の風向を変えており、清浄化気流１６が均一化されないままカバー部１７の開口面から流れ出ることがない。
【００３５】
これらカバー部１７の内面への衝突などによって均一化された清浄化気流１６は、カバー部１７の開口面全体から流速の緩やかな均一気流１８として流れ出る。浮遊塵埃２２は落下することなく長時間浮遊し、就寝者１１の呼吸による気流などのわずかな気流にのって就寝者１１の頭部周囲に近づこうとするが、清浄化気流１６は開口面全体から流れる均一気流１８となっているため頭部周囲に近づく浮遊塵埃２２は全て清浄化気流１６にあた
る。浮遊塵埃２２は気流に乗りやすいためこの清浄化気流１６に乗って就寝者１１の頭部周囲から離れる。
【００３６】
これにより、強い清浄化気流１６が当たって就寝者１１の睡眠が妨げられることなく、浮遊塵埃２２を頭部周囲から除去することができる。浮遊塵埃２２も半浮遊塵埃２３も就寝者１１の頭部周囲から除去されるため、例えば花粉などによりアレルギー反応が引き起こされ目が覚めるということがない。
【００３７】
また気流清浄化手段１３では、塵埃を除去すると同時に温湿度の調整やマイナスイオンの付加や芳香の付加といった空質の調整が行われる。
【００３８】
空質を調整された清浄化気流１６はカバー部１７の内面への衝突などにより均一化が進むが、カバー部１７によってカバー部１７の周囲の空気と交じり合うことは防がれているためカバー部１７の内部で清浄化気流１６空質が周囲の空気の状態に戻ることはない。
【００３９】
またカバー部１７の開口面から流れ出た清浄化気流１６は流速の緩やかな均一気流１８となっているため、清浄化気流１６は就寝者１１の頭部周囲に長時間留まる。また同時に頭部周囲に漏れなく吹き付けられることになる。それによって就寝者１１の頭部周囲の空質は気流清浄化手段１３によって調整された清浄化気流１６の空質とほぼ同じになり、就寝者１１の快適性がより高められる。
【００４０】
続いて、就寝者１１は睡眠をとった後に目覚める。目覚めの瞬間は副交感神経が優位であるためアレルギー反応が過剰になるが、就寝者１１の頭部周囲は睡眠中から継続して清浄化され続けているためアレルギー反応が起こることは無い。従って、就寝者１１ははっきりと覚醒し、交感神経が優位となってから起き上がることができる。
【００４１】
なお、本実施の形態で吹き出し口１４は、カバー部１７の側面に対向するように構成され水平方向に向けて清浄化気流１６を吹き出すよう構成していたが、図３に示した空気清浄機の他の構成例のように、清浄化気流１６をカバー部１７内面の最も上方に位置するカバー部天頂部２４に吹き出して衝突させる構成としてもかまわない。
【００４２】
清浄化気流１６をカバー部天頂部２４に衝突させることで、清浄化気流１６は四方に広がるように流れ乱流２１が発生する。一方で衝突した清浄化気流１６の一部はカバー部１７の内面に沿って流れる。しかし清浄化気流１６はカバー部天頂部２４に衝突しているため、清浄化気流１６がカバー部１７の内面に沿って流れてもそのままカバー部１７の開口面に到達することは無く必ずカバー部１７の他の面に衝突することになる。そのため清浄化気流１６は複数回衝突することとなり、清浄化気流をより確実に均一化することができる。
【００４３】
なお、本実施の形態で吹き出し口１４は、カバー部１７の側面に対向するように構成され、吹き出し口１４の対向面２５に向けてのみ清浄化気流１６を吹き出すよう構成していたが、図４に示した空気清浄機の他の構成例のように、清浄化気流を複数の方向に吹き出しカバー部１７の内側で互いに衝突する構成としてもかまわない。
【００４４】
清浄化気流１６は上方から見てカバー部１７の左右側面２６に衝突するよう吹き出されている。清浄化気流１６はカバー部１７の左右側面２６に衝突することで四方に広がろうとするが、対向面２５に衝突させる場合に比べて衝突の角度が浅いため清浄化気流１６はカバー部１７の左右側面２６に沿って流れやすく、清浄化気流１６は吹き出し口１４の対向面２５に向かって流れる。清浄化気流１６が対向面２５に到達すると衝突が発生しそれによって清浄化気流１６は再び四方へ広がり乱流２１が発生する。
【００４５】
しかし、衝突した清浄化気流１６のうちさらに一部は再び対向面２５に沿って流れる。このため、左右側面２６のそれぞれから流れてきた清浄化気流１６は対向面２５の中央で衝突する。この衝突によって清浄化気流１６はさらに広がって流れ乱流２１も発生する。気流同士が衝突する場合には一方で発生した乱流２１がもう一方の気流に乱流２１を発生させる要因となりそれが繰り返されるため、壁面と気流が衝突する場合よりも乱流２１が発生しやすい。そのため清浄化気流１６はより速やかに均一化される。
【００４６】
上記した各実施の形態は、必要に応じて適宜組み合わせて使用することができるものであり、実施の形態そのものの構成に限られるものではない。
【産業上の利用可能性】
【００４７】
以上のように、本発明にかかる空気清浄機は気流によって局所的な空間を清浄化する装置に適用できる。
【符号の説明】
【００４８】
２、１０  本体部
８、１１  就寝者
１２  送風手段
１３  気流清浄化手段
６、１４  吹き出し口
５、１５  吸い込み部
７、１６  清浄化気流
１７  カバー部
１９  角部
２０  リブ構造
２４  カバー部天頂部
【図１】
2012002369.tif 000003
【図２】
2012002369.tif 000004
【図３】
2012002369.tif 000005
【図４】
2012002369.tif 000006
【図５】
2012002369.tif 000007